(57)【要約】【課題】外蓋カバーがなく、ヒンジ部をコンパクト化し、外蓋ユニット内部の導電部品の電力線を安価な電力線で構成し、材料コストを削減した外蓋ユニットを実現する。【解決手段】炊飯器本体１の上面を覆う外蓋８のヒンジ部には、前記外蓋８を炊飯器本体１のヒンジ後方部を軸支するためのヒンジ軸７を固定する外蓋カバー１９を配設し、前記外蓋８には、ヒンジ軸７の軸受け部より前方にコ字状あるいはＬ字状の切欠き部２９と前記外蓋カバーにコ字状あるいはＬ字状の切欠き部３０を配設することで、前記外蓋８からの電力線を配線するための配線穴１８をヒンジ軸７付近に形成し、電力線は前記配線穴１８から前記炊飯器本体１の後方部に配設したヒンジの箱６の両端に前方向及び上方向に突出した箱形状部を通し、ヒンジ軸の後方を配線し、炊飯器本体１の内部に配設する。【選択図】図１
2007307199.tif 000002
【特許請求の範囲】
【請求項１】
炊飯器本体と、前記炊飯器本体に着脱自在に収納される鍋と、前記炊飯器本体後方のヒンジ部に軸支され開閉自在に前記炊飯器本体の上面を覆う外蓋と、前記外蓋のヒンジ部に設けられると共に前記外蓋を炊飯器本体のヒンジ部後方を軸支するためのヒンジ軸を固定する外蓋カバーと、前記外蓋の内部に設けられると共に炊飯器本体の内部に配設された基板と電力線により接続された導電部と、前記炊飯器本体の後方に設けられ前記外蓋を開閉するためのヒンジバネが配設されると共にその両端に前方向及び上方向に突出した箱形状部を備えた箱形状のヒンジ箱と、前記外蓋のヒンジ軸付近に形成される共に前記ヒンジ軸の軸受け部より前方に配設されたコ字状あるいはＬ字状の切欠き部と前記外蓋カバーに設けられたコ字状あるいはＬ字状の切欠き部とから構成される配線穴とを備え、前記電力線は前記配線穴から前記箱形状部を通し、ヒンジ軸の後方を配線し、炊飯器本体の内部に配設されたことを特徴とする炊飯器。
【請求項２】
箱形状部に合わせて両端が上方に突出した形状でその両端外郭部に後方への突出部を設けられると共にヒンジ箱を覆うヒンジカバーと、外蓋のヒンジ部に設けられ前記ヒンジ箱の形状に合わせ両端が上方に突出した形状の切欠き部とを備え、前記突出部に電力線を配線したことを特徴とした請求項１記載の炊飯器。
【請求項３】
外蓋カバーは箱形状部に合わせ、両端部分は中央部より突出した箱で構成したことを特徴とした請求項１又は２記載の炊飯器。
【発明の詳細な説明】
【技術分野】
【０００１】
本発明は、炊飯器に関するものである。
【背景技術】
【０００２】
近年、外蓋に機能を搭載した炊飯器が市場に導入され、その機能を動作させるために、多数の導電部品が配設されており、その中で、外蓋から炊飯器本体の内部の基板に接続される電力線が多本数になり、配線が複雑となってきている。
【０００３】
特許文献１に、従来例の炊飯器が開示されている。従来例の炊飯器では、鍋の上面を覆う開閉自在の外蓋ユニットは外郭を覆う外蓋と、前記外蓋を覆う外蓋カバーを配設し、前記外蓋カバーには、鍋の内部空間を加熱する加熱板ユニットを設けており、加熱板ユニットは導電部である蓋誘導コイルにより誘導加熱され発熱する。また、外蓋カバーには、前記加熱板ユニットの温度を検知するための蓋センサーユニットが配設され、外蓋カバーに配設した導電部品から多数の電力線が外蓋から配線されている。ここで、電力線は、外蓋から炊飯器本体のヒンジ部を経由して制御部へ配線されているが、ヒンジ部近傍ではヒンジ軸に対しヒンジ軸の長手方向と平行に配線され、ヒンジ軸の上方部の外蓋カバーの配線穴から電力線が配線されている。
【特許文献１】特開２０００−３１０４３１号公報
【発明の開示】
【発明が解決しようとする課題】
【０００４】
特許文献１に開示された従来例の炊飯器の外蓋ユニットの構成は、外装部に配設した外蓋と内装部を覆う外蓋カバーを配設した構成で、前記外蓋カバーのヒンジ軸の軸受け部の上方に電力線を配線するための、配線穴が配設され、電力線はヒンジ軸と平行に、炊飯器本体に配線されている。電力線は外蓋ユニットを開閉するごとに、およそ９０度屈曲されるが、約５万回から１０万回以上の外蓋ユニットの開閉に対する耐屈曲性が要求されるが、この構成では、電力線の屈曲を低減して、耐屈曲性を向上させることで、屈曲性に優れた高価な電力線を用いなくて済み、材料コストを低減することができている。しかし、前記外蓋カバーのヒンジ軸の軸受け部の上方に電力線を配線するための、配線穴が配設されているため、ヒンジ軸から外蓋の外装部までの距離をある程度確保しないといけないため、ヒンジ部をコンパクト化した炊飯器は実現できないという課題や、外蓋カバーが必要な外蓋ユニットの構成であるため、外蓋ユニットを外蓋のみで構成しようとした際に、上記構成が実現できず、電力線は外蓋ユニットから炊飯器本体のヒンジ部を経由して制御部へ配線される際に、ヒンジ部近傍ではヒンジ軸に対しヒンジ軸の長手方向と垂直に交差するよう配線されるため、外蓋を開閉する際に、曲率の小さい状態で屈曲を行うこととなり、その構成では、耐屈曲性が満足できないので、耐屈曲性を確保するために、曲率の小さい状態でも耐屈曲性が確保できるような屈曲性に優れた高価な電力線を用いる必要があり、材料コストが高くなるという課題があった。
【０００５】
本願発明は、外蓋ユニットのヒンジ部に外蓋カバーを配設し、電力線を耐屈曲性に優れた高価な線を用いなくて済むようにし、材料コストを削減した外蓋ユニットを構成することを目的とする。
【課題を解決するための手段】
【０００６】
上記課題を解決するため、本発明は以下の構成を有する。請求項１に記載の発明は、炊飯器本体と、前記炊飯器本体に着脱自在に収納される鍋と、前記炊飯器本体後方のヒンジ部に軸支され開閉自在に前記炊飯器本体の上面を覆う外蓋と、前記外蓋のヒンジ部に設けられると共に前記外蓋を炊飯器本体のヒンジ部後方を軸支するためのヒンジ軸を固定する外蓋カバーと、前記外蓋の内部に設けられると共に炊飯器本体の内部に配設された基板と電力線により接続された導電部と、前記炊飯器本体の後方に設けられ前記外蓋を開閉するためのヒンジバネが配設されると共にその両端に前方向及び上方向に突出した箱形状部を備えた箱形状のヒンジ箱と、前記外蓋のヒンジ軸付近に形成される共に前記ヒンジ軸の軸受け部より前方に配設されたコ字状あるいはＬ字状の切欠き部と前記外蓋カバーに設けられたコ字状あるいはＬ字状の切欠き部とから構成される配線穴とを備え、前記電力線は前記配線穴から前記箱形状部を通し、ヒンジ軸の後方を配線し、炊飯器本体の内部に配設されたことを特徴とする炊飯器である。
【０００７】
本発明によれば、外蓋ユニットは、外蓋と外蓋のヒンジ部をカバーする外蓋カバーの構成であり、外蓋内部の導電部品からの電力線は、外蓋と外蓋カバーで形成され、ヒンジ軸付近に配設した配線穴と本体後方のヒンジ箱の両端に前方向及び上方向に突出した箱形状部を通し、ヒンジ軸の後方を配線することで、外蓋のヒンジ軸の軸受け部を確保した構成で、従来例のような大きな外蓋カバーを廃止した構成を得ることができ、また、電力線は、外蓋開閉時にて、小さな屈曲構成でないため、耐屈曲性に優れた高価な電力線を用いることをしなくておいため、材料コストを削減し、安価な外蓋ユニットを実現できる。また、電力線を通る外蓋と外蓋カバーの配線穴もヒンジ軸付近に配設しているために、ヒンジ軸から外蓋外装部までの距離を最低限度に抑えた構成が実現できるため、ヒンジ部をコンパクト化した炊飯器が構成できる。
【０００８】
請求項２に記載の発明は、箱形状部に合わせて両端が上方に突出した形状でその両端外郭部に後方への突出部を設けられると共にヒンジ箱を覆うヒンジカバーと、外蓋のヒンジ部に設けられ前記ヒンジ箱の形状に合わせ両端が上方に突出した形状の切欠き部とを備え、前記突出部に電力線を配線したことを特徴とした請求項１記載の炊飯器である。
【０００９】
本発明によれば、前記外蓋のヒンジ部は、前記前記炊飯器本体の後方のヒンジ箱の形状に合わせ両端が上方に突出した形状の切欠き部を配設することで、外蓋の開閉時において、外蓋の切欠き部の両端部とヒンジカバーの外装部に隙間が発生し、その隙間にヒンジカバーから後方への突出部を設けることで、ヒンジ軸とヒンジカバー間にスペースを確保するとができ、そのスペースに電力線を配線することで、外蓋開閉時での電力線の屈曲性を緩和し、電力線を高価な線を用いる必要がなくなり、材料コストを削減することができる。
【００１０】
請求項３に記載の発明は、外蓋カバーは箱形状部に合わせ、両端部分は中央部より突出した箱で構成したことを特徴とした請求項１又は２記載の炊飯器である。
【００１１】
本発明によれば、外蓋カバーは、前記炊飯器本体の後方のヒンジ箱の両端に前方向及び上方向に突出した箱形状部の合わせ、両端部分は中央部と比較し突出した箱で構成することにより、前記外蓋と外蓋カバーで形成された配線穴付近に配線スペースを確保し、外蓋に外蓋カバーをセットした際に、電力線の圧接を防止し、外蓋開閉の電力線の断線を防ぐことができる。また、外蓋を開成時にて、外蓋カバーの前記突出部がないと、本体後方のヒンジ箱の両端のヒンジ箱から、電力線がむき出しになり、不安全な構成であるが、外蓋カバーの両端の突出部により、外蓋開成時における電力線のカバーも行うことができ安全性を確保した構成である。また、外蓋カバーの両端部に突出部を配接することで、保温調理時において、前記外蓋ユニットに配設している加熱板ユニットに付着したつゆが、外蓋開成時に本体上面部に滴下するが、突出部より外方に滴下するのではなく、外蓋カバーの中央部からつゆは必ず滴下するので、滴下したつゆは本体後方のヒンジ箱の両端の突出したヒンジ箱から進入するのを防止することができ、安全性を確保したヒンジ構成は実現できる。
【発明の効果】
【００１２】
本発明は、外蓋のヒンジ軸の軸受け部を確保した構成で、大きな外蓋カバーを廃止した構成を得ることができる。また、材料コストを削減し、安価な外蓋ユニットを実現できる。さらに、ヒンジ部をコンパクト化した炊飯器が構成できる。
【発明を実施するための最良の形態】
【００１３】
以下、本発明の実施をするための最良の形態を具体的に示した実施の形態について、図面とともに記載する。
【００１４】
（実施の形態１）
図１、図２、図３を用いて、本発明の実施の形態１の炊飯器を説明する。
【００１５】
図１は、本発明の実施の形態の炊飯器の縦断面図である。図１において、炊飯器本体１は有底筒状の鍋収納部１ａを有し、鍋２を着脱自在に収納し、鍋収納部１ａの底部に設けた底誘導コイル３により鍋２を誘導加熱し炊飯・保温を行う。なお、底誘導コイル３を用いた誘導加熱方式ではなく、鋳込みヒータで鍋２を加熱してもよいが、誘導加熱方式の方がより高火力・高効率で鍋２を加熱することができる。
【００１６】
鍋センサー４は、鍋２の温度を検知し、制御部５へ信号を送る。制御部５は鍋センサー４の信号より底誘導コイル３の通電量を制御し、鍋２の加熱量を制御することで鍋２の温度を炊飯・保温時に適温に制御する。
【００１７】
炊飯器本体１の上部は、炊飯器本体１の後部のヒンジ箱６に設けたヒンジ軸７にて軸支された、開閉自在な外蓋８で覆われている。蓋体８の先端に蓋係合部９を設けており、閉蓋時に炊飯器本体１の前方のフックボタン１０と係合し、炊飯または保温中に誤って外蓋８が開成するのを防止している。フックボタン１０を押すと、蓋係合部９とフックボタン１０の係合が外れ、炊飯器本体１の後部のヒンジ箱６に設けたヒンジばね１１の力よって外蓋８が開成するように構成している。また、前記外蓋８のヒンジ部には、ヒンジ後方部を軸支するためのヒンジ軸７を固定する外蓋カバー１９を配設しており、前記ヒンジばね１１や、炊飯器本体１の後部のヒンジ箱６を覆う。
【００１８】
炊飯中や保温中にご飯から発生した蒸気は外蓋８の鍋２側に付着し、外蓋８を開いたときに露が炊飯器本体１の上縁部１ｂに滴下したり、保温中にご飯の上に落下して、ご飯を白化させたりする。そこで、外蓋８には鍋２の内部空間を加熱する加熱板ユニット１２を設けており、加熱板ユニット１２は導電部である蓋誘導コイル１３により誘導加熱されて発熱し、炊飯・保温中の加熱板ユニット１２への露つきを防止する。
【００１９】
ここで、蓋誘導コイル１３の代わりに、電気抵抗で発熱する発熱線を加熱板ユニット１２に貼り付ける方式もあるが、誘導加熱方式の方がより効率的に加熱板ユニット１２を発熱させることができる。
【００２０】
加熱板ユニット１２に加熱板蒸気口１２ａを設けており、炊飯・保温中に発生する蒸気は、加熱板ユニット蒸気口１２ａを通過し、蓋蒸気口８ａから外部へ流出する。蒸気口パッキン１４は加熱板ユニット蒸気口１２ａからの蒸気が外蓋８の内部に流入するのを防止している。また、鍋パッキン１５は加熱板ユニット１２と鍋２のフランジ部２ａの間から蒸気が外部へ漏れ出すのを防止している。
【００２１】
次に図２を用いて、炊飯器本体１の後部のヒンジ箱６の構成について説明する。図２は、外蓋のヒンジ斜視図と本体ヒンジ箱とヒンジカバーの斜視図である。
【００２２】
蓋誘導コイル１３は電力線１６により、炊飯器本体１の電力送出部である制御部５と接続されて電力の供給を受ける。電力線１６は外蓋８よりヒンジ箱６を経由して炊飯器本体１の制御部５へとつながっている。ここで、電力線１６が通る各部位の説明をする。１７は外蓋８のヒンジ部に配設した配線穴１８を形成するための配線リブである。１９は外蓋のヒンジ部をカバーするための外蓋カバーであり、前記外蓋カバー１９には、前記配線穴１８を形成するために、外蓋と同様に配線リブを配設している。外蓋の配線リブ１７と外蓋カバー１９の配線リブで形成された配線穴１８は外蓋の軸受け部２１より前方に位置している。配線穴１８を軸受け部２１より前方に位置させたのは、外蓋８を９０度開成した際に、電力線１６がヒンジ軸２２より後方に位置し電力線１６が、ヒンジカバー２３の外装部２４と圧接するのを防止している。
【００２３】
次に、電力線１６は、外蓋の配線穴１８を通り、炊飯器本体１の後部のヒンジ箱６の両端部の前方向及び上方向に突出した箱形状部２５を通る。突出した箱形状部２５には、ヒンジ軸を受ける軸受け２６が配設されており、前記軸受け２６の天面部２７は、外蓋８の閉時において、電力線１６が圧接されないようにヒンジ軸より下方に位置し、また両端部は、断線を防止する丸みが配設されている。ここで、箱形状部２５がヒンジ箱６より突出しているのは、電力線１６がヒンジの箱を通過する際に、配線のスペースを多大化し、リード線の圧接を防止するためである。そして、電力線１６は、突出したヒンジ箱２５を通した後、ヒンジ軸２２の後方を通し、本体のヒンジ箱６の内部を配線し、本体内部の制御部５へ接続している。
【００２４】
次に図３を用いて、外蓋８に配設している配線穴１８を形成する構成について説明する。図３は外蓋の部分断面図である。外蓋８には、電力線１６の配線位置を固定するための、配線穴１８配設されており、前記配線穴１８は、外蓋８からのコ字形状あるいはＬ字形状など切り欠き部２９により、穴の上方部は形成されている。外蓋カバー１９は、外蓋８に配設された、外蓋８と炊飯器本体を軸支するための、ヒンジ軸２２を外蓋８に対して固定しているとともに、コ字形状あるいはＬ字形状など切り欠き部３０により、前記配線穴１８の下方部を形成し、配線穴１８に電力線１６が通っている。ここで、外蓋カバー１９がないと、電力線１６が外蓋８からの配線の固定が困難になる。
【００２５】
次に、図４を用いて外蓋８の開閉時の電力線１６の軌跡について説明する。図４（Ａ）は外蓋閉時の状態図である。図４（Ｂ）は外蓋開時の状態図である。外蓋８の閉時の電力線は１６であり、外蓋８を開けた時の電力線は１６−２である。外蓋８の開閉にて電力線１６の軌跡は１６−３となり、大きな屈曲動作がない構成となっている。
【００２６】
このような構成にすることで、電力線１６はヒンジ箱６において外蓋８が開閉するたびに屈曲するが、従来はおよそ９０度屈曲していたのに対して、本実施の形態の構成では、屈曲時の電力線１６の屈曲が少なくなり、従来の曲げ方向からねじり方向となる。電力線１６は金属線を芯線とした撚り線で形成し、曲げ方向への耐屈曲性は弱いが、ねじり方向には耐屈曲性が高く、断線しにくい。従来は曲げ方向の屈曲であったので、耐屈曲性を満足するために曲げの曲率を大きくとる必要があり、屈曲のために電力線屈曲部に広い空間が必要であったが、本実施の形態では、ねじり方向に屈曲するので、耐屈曲性が高く、曲げのための電力線屈曲部２８はヒンジ軸より前方に位置するので、ヒンジ軸からヒンジカバーまでの距離を従来より短くした構成が実現でき、炊飯器本体のヒンジ部の構成をコンパクト化することができる。
【００２７】
また、従来は、電力線１６はヒンジ軸の長手方向に対し、垂直に交差しており、外蓋の開閉時において、屈曲時に電力線に引っ張り応力等が発生していたが、本構成では、電力線の動作はねじり方向に近いので、引っ張り応力が発生しにくく、電力線は、高価な耐屈曲性に優れた電力を用いる必要性がなくなり、安価な構成が実現できる。
【００２８】
なお、本実施の形態では、電力線１６は蓋誘導コイル１３と制御部５を接続する線であるが、加熱板ユニット１２の温度を検知する蓋センサーや炊飯器の動作状態を表示する表示部や温度ヒューズが外蓋８に設けられたときは、電力線１６は蓋センサーや表示部や温度ヒューズと制御部５を接続する線であることはいうまでもない。
【００２９】
（実施の形態２）
図５、６を用いて、本発明の実施の形態２の炊飯器を説明する。
【００３０】
図５は、外蓋のヒンジ斜視図と本体ヒンジ箱とヒンジカバーの斜視図である。図６は本体のヒンジ箱の部分断面図である。
【００３１】
炊飯器本体の後部のヒンジ箱６の両端の前方向及び上方向に突出した箱形状部２５に合わせ、ヒンジカバー２３の両端部にも、突出部３１が配設されている。また、外蓋８のヒンジ部には、ヒンジカバー２３が収納される構成であるために、ヒンジカバー２３の突出部３１に合わせ、ヒンジ部両端に逃がし部３２が配設されている。
【００３２】
このような構成をとることでの優位性について、図６を用いて説明する。図６（Ａ）は本体のヒンジ箱６の中央断面図であるが、外蓋のヒンジ部のヒンジカバーの逃がし部３３は、ヒンジカバーの中央部の上方に位置している。外蓋８の開閉時の逃がし部位３３の回転軌跡は３４である。次に、図６（Ｂ）は炊飯器本体の後部のヒンジ箱６の両端部の前方向及び上方向に突出した箱形状部２５の部分断面図である。外蓋のヒンジ部の逃がし部３２は、ヒンジカバー２３の両端の突出部３１の上方部に位置しており、外蓋の開閉時の逃がし部３２の回転軌跡は３５である。回転軌跡３４と３５を比較した際に、回転軌跡３５のほうが、ヒンジ軸２２の中心からの距離が大きく、ヒンジカバー２３との間に隙間が生じ、その隙間にヒンジカバー２３の両端外郭部に突出部３６を配設している。前記突出部３６により、ヒンジ軸２２とヒンジカバー２３との間に配線スペース３７が確保でき、電力線１６を、前記配線スペース３７配線することで、外蓋開閉時での電力線の屈曲性を緩和し、電力線を高価な線を用いる必要がなくなり、材料コストを削減することができる。
【００３３】
（実施の形態３）
図７を用いて、本発明の実施の形態３の炊飯器を説明する。
【００３４】
図７は、外蓋カバーが開成した斜視図である。外蓋カバー１９には、炊飯器本体の後部のヒンジ箱６の両端の前方向及び上方向に突出した箱形状部２５に合わせ、突出部４０を配設している。突出部４０配設ることで、前記外蓋と外蓋カバー１９で形成された配線穴１８付近に配線スペースを確保し、外蓋に外蓋カバー１９をセットした際に、電力線１６の圧接を防止し、外蓋開閉の電力線の断線を防ぐことができる。また、外蓋を開成時にて、外蓋カバー１９の前記突出部４０がないと、本体後方のヒンジ箱の両端の箱形状部２５から、電力線１６がむき出しになり、不安全な構成であるが、外蓋カバー１９の両端の突出部により、外蓋開成時における電力線１６のカバーも行うことができ安全性を確保した構成である。また、外蓋カバー１９の両端部に突出部４０を配接することで、保温調理時において、前記外蓋に配設している加熱板ユニットに付着したつゆ４１が、外蓋開成時に本体上面部４２に滴下するが、突出部４０より外方に滴下するのではなく、外蓋カバー１９の中央部からつゆ４１は必ず滴下するので、滴下したつゆ４１は本体後方のヒンジ箱６の両端の突出した箱形状部２５から進入するのを防止することができ、安全性を確保したヒンジ構成を実現することができる。
【産業上の利用可能性】
【００３５】
本発明に係る炊飯器は、家庭用又は業務用の炊飯器として有用である。
【図面の簡単な説明】
【００３６】
【図１】本発明の実施の形態の炊飯器の縦断面図
【図２】外蓋のヒンジ斜視図と本体ヒンジ箱とヒンジカバーの斜視図
【図３】外蓋の部分断面図
【図４】外蓋開閉時の部分断面図
【図５】外蓋のヒンジ斜視図と本体ヒンジ箱とヒンジカバーの斜視図
【図６】本体のヒンジ箱の部分断面図
【図７】外蓋カバーが開成した斜視図
【符号の説明】
【００３７】
１  炊飯器本体
２  鍋
６  ヒンジ箱
７  ヒンジ軸
８  外蓋
１１  ヒンジバネ
１６  電力線
１８  配線穴
１９  外蓋カバー
２５  箱形状部
２９  外蓋からの切り欠き部
３０  外蓋カバーからの切り欠き部
【図１】
2007307199.tif 000003
【図２】
2007307199.tif 000004
【図３】
2007307199.tif 000005
【図４】
2007307199.tif 000006
【図５】
2007307199.tif 000007
【図６】
2007307199.tif 000008
【図７】
2007307199.tif 000009